(57)【要約】【課題】映像コンテンツに付加されるメタデータのサイズを大きくすることなく、映像コンテンツに連携するサービスをユーザに提供すること。【解決手段】映像連携サービス提供システム１は、映像再生装置１０とアプリケーションサーバ２０と、を備える。映像再生装置１０の送信部１３は、再生部１２で再生された映像コンテンツに付加されているメタデータをアプリケーションサーバ２０に送信する。映像再生装置１０の出力部が、アプリケーションサーバ２０が受信したメタデータに基づいて提供したサービスを出力することにより、ユーザに映像コンテンツに連携するサービスを提供する。【選択図】図１
2013009141.tif 000002
【特許請求の範囲】
【請求項１】
映像コンテンツを再生する映像再生装置と、受信したデータに応じて、ネットワークを介してサービスを提供するアプリケーションサーバと、を備える映像サービス提供システムであって、
前記映像再生装置は、
前記映像コンテンツを再生する再生手段と、
少なくとも、該再生された映像コンテンツに関するメタデータを、前記アプリケーションサーバに送信する送信手段と
を備え、
前記アプリケーションサーバは、
受信したメタデータに基づいて、所定のサービスを提供するサービス提供手段を備え、
前記映像再生装置は、前記アプリケーションサーバから提供されたサービスを出力することを特徴とする映像連携サービス提供システム。
【請求項２】
前記送信手段は、前記再生手段で再生されている映像コンテンツの進行状況に基づいて、前記メタデータを参照し、前記メタデータのうち、前記進行状況に対応したメタデータを送信することを特徴とする請求項１に記載の映像連携サービス提供システム。
【請求項３】
前記送信手段は、前記メタデータをブロードキャストで送信することを特徴とする請求項１または２に記載の映像連携サービス提供システム。
【請求項４】
前記送信手段は、前記メタデータをマルチキャストまたはユニキャストで送信することを特徴とする請求項１または２に記載の映像連携サービス提供システム。
【請求項５】
前記映像再生装置は、
前記メタデータを編集する編集手段を備えることを特徴とする請求項１から４のいずれかに記載の映像連携サービス提供システム。
【請求項６】
前記映像コンテンツの再生が開始されてからの経過時刻をモニターするモニター手段を備え、
前記送信手段は、前記モニター手段で検出された、前記再生手段で再生されている映像コンテンツの経過時刻を送信することを特徴とする請求項１から５のいずれかに記載の映像連携サービス提供システム。
【請求項７】
映像コンテンツを再生する映像再生装置と、受信したデータに応じて、ネットワークを介してサービスを提供するアプリケーションサーバと、を備える映像連携サービス提供システムにおける映像連携サービス提供システム方法であって、
前記映像再生装置が、前記映像コンテンツを再生する第１のステップと、
前記映像再生装置が、前記第１のステップで再生された映像コンテンツに付加されたメタデータを、前記アプリケーションサーバに送信する第２のステップと、
前記アプリケーションサーバが、前記映像再生装置から受信したメタデータに基づいて、所定のサービスを提供する第３のステップと、
前記映像再生装置が、前記アプリケーションサーバから提供されたサービスを出力する第４のステップと、
を備えることを特徴とする映像連携サービス提供システム方法。
【請求項８】
映像コンテンツを再生する映像再生装置と、受信したデータに応じて、ネットワークを介してサービスを提供するアプリケーションサーバと、を備える映像連携サービス提供システムにおける映像連携サービス提供システム方法であって、
前記映像再生装置が、前記映像コンテンツを再生する第１のステップと、
前記映像再生装置が、該再生した映像コンテンツからメタデータを取得する第２のステップと、
前記映像再生装置が、ユーザにより編集された新たなメタデータを、保存する第３のステップと、
前記映像再生装置が、該編集されたメタデータを、前記アプリケーションサーバに送信する第４のステップと、
前記アプリケーションサーバが、前記映像再生装置から受信したメタデータに基づいて、所定のサービスを提供する第５のステップと、
前記映像再生装置が、前記アプリケーションサーバから提供されたサービスを出力する第６のステップと、
を備えることを特徴とする映像連携サービス提供システム方法。
【請求項９】
映像コンテンツを再生する映像再生装置と、受信したデータに応じて、ネットワークを介してサービスを提供するアプリケーションサーバと、を備える映像連携サービス提供システムにおける映像連携サービス提供システム方法であって、
前記映像再生装置が、前記映像コンテンツを再生する第１のステップと、
前記映像再生装置が、前記映像コンテンツの再生が開始されてからの経過時刻をモニターする第２のステップと、
前記映像再生装置が、再生された映像コンテンツに付加されたメタデータと前記再生されている映像コンテンツの経過時刻とを、前記アプリケーションサーバに送信する第３のステップと、
前記アプリケーションサーバが、前記映像再生装置から受信したメタデータに基づいて、所定のサービスを提供する第４のステップと、
前記映像再生装置が、前記アプリケーションサーバから提供されたサービスを出力する第５のステップと、
を備えることを特徴とする映像連携サービス提供システム方法。
【請求項１０】
映像コンテンツを再生する映像再生装置と、受信したデータに応じて、ネットワークを介してサービスを提供するアプリケーションサーバと、を備える映像連携サービス提供システムにおける映像連携サービス提供システム方法をコンピュータに実行させるためのプログラムであって、
前記映像再生装置が、前記映像コンテンツを再生する第１のステップと、
前記映像再生装置が、前記第１のステップで再生された映像コンテンツに付加されたメタデータを、前記アプリケーションサーバに送信する第２のステップと、
前記アプリケーションサーバが、前記映像再生装置から受信したメタデータに基づいて、所定のサービスを提供する第３のステップと、
前記映像再生装置が、前記アプリケーションサーバから提供されたサービスを出力する第４のステップと、
をコンピュータに実行させるためのプログラム。
【請求項１１】
映像コンテンツを再生する映像再生装置と、受信したデータに応じて、ネットワークを介してサービスを提供するアプリケーションサーバと、を備える映像連携サービス提供システムにおける映像連携サービス提供システム方法をコンピュータに実行させるためのプログラムであって、
前記映像再生装置が、前記映像コンテンツを再生する第１のステップと、
前記映像再生装置が、該再生した映像コンテンツからメタデータを取得する第２のステップと、
前記映像再生装置が、ユーザにより編集された新たなメタデータを、保存する第３のステップと、
前記映像再生装置が、該編集されたメタデータを、前記アプリケーションサーバに送信する第４のステップと、
前記アプリケーションサーバが、前記映像再生装置から受信したメタデータに基づいて、所定のサービスを提供する第５のステップと、
前記映像再生装置が、前記アプリケーションサーバから提供されたサービスを出力する第６のステップと、
をコンピュータに実行させるためのプログラム。
【請求項１２】
映像コンテンツを再生する映像再生装置と、受信したデータに応じて、ネットワークを介してサービスを提供するアプリケーションサーバと、を備える映像連携サービス提供システムにおける映像連携サービス提供システム方法をコンピュータに実行させるためのプログラムであって、
前記映像再生装置が、前記映像コンテンツを再生する第１のステップと、
前記映像再生装置が、前記映像コンテンツの再生が開始されてからの経過時刻をモニターする第２のステップと、
前記映像再生装置が、再生された映像コンテンツに付加されたメタデータと前記再生されている映像コンテンツの経過時刻とを、前記アプリケーションサーバに送信する第３のステップと、
前記アプリケーションサーバが、前記映像再生装置から受信したメタデータに基づいて、所定のサービスを提供する第４のステップと、
前記映像再生装置が、前記アプリケーションサーバから提供されたサービスを出力する第５のステップと、
をコンピュータに実行させるためのプログラム。
【発明の詳細な説明】
【技術分野】
【０００１】
本発明は、映像コンテンツに連携する各種サービスを視聴者に提供する映像連携サービス提供システム、映像連携サービス提供方法、およびプログラム
【背景技術】
【０００２】
近年、インターネット接続を介して、インターネット上で提供されているサービスにより映像コンテンツを視聴するインターネットテレビが広まりつつある。インターネットテレビは、インターネットに接続された端末（例えば、ＳＴＢやＰＣ等）により、世界中の数多くの映像コンテンツを視聴することができる。
【０００３】
映像コンテンツには、映像コンテンツへのアクセスを効率化させる目的で、メタデータを映像コンテンツに付加する試みが、例えばＭＰＥＧ−７や（ＩＳＯ／ＩＥＣ  １５９３８）、ＴＶ  Ａｎｙｔｉｍｅ（非特許文献１）等において行われている。ここで、メタデータとは、映像コンテンツの属性を記述したデータであって、例えば、インターネットテレビで配信される映像コンテンツのメディアデータには、例えば、チャンネル、タイトル、配信日時、内容等のデータが記述される。なお、ＭＰＥＧ−７およびＴＶ  Ａｎｙｔｉｍｅは、国際標準・業界標準の映像コンテンツに対するメタデータのフォーマットである。
【先行技術文献】
【非特許文献】
【０００４】
【非特許文献１】ｈｔｔｐ：／／ｗｗｗ．ｔｖ−ａｎｙｔｉｍｅ．ｏｒｇ／［２０１１年２月３日検索］
【発明の概要】
【発明が解決しようとする課題】
【０００５】
ところで、映像コンテンツに付加されるメタデータには、映像コンテンツに連携する各種サービス、例えば、各種言語の字幕提供サービスや、映像コンテンツの楽曲購入サービス等、に関する情報を含めることができる。しかしながら、映像コンテンツに数多くのサービスを連携させるとすると、メタデータのサイズが大きくなり、伝送速度が低下するという問題点や、ネットワークに負荷がかかるという問題点があった。
【０００６】
そこで、本発明は、上述の課題に鑑みてなされたものであり、映像コンテンツに付加されるメタデータのサイズを大きくすることなく、映像コンテンツに連携するサービスをユーザに提供する映像コンテンツ連携システム、映像コンテンツ連携方法、およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、映像コンテンツを再生する映像再生装置と、受信したデータに応じて、ネットワークを介してサービスを提供するアプリケーションサーバと、を備える映像サービス提供システムであって、前記映像再生装置は、前記映像コンテンツを再生する再生手段（例えば、図１の再生部１２に相当）と、少なくとも、該再生された映像コンテンツに関するメタデータを、前記アプリケーションサーバに送信する送信手段（例えば、図１の送信部１３に相当）と、を備え、前記アプリケーションサーバは、受信したメタデータに基づいて、所定のサービスを提供するサービス提供手段（例えば、図１のサービス提供部２２に相当）を備え、前記映像再生装置は、前記アプリケーションサーバから提供されたサービスを出力することを特徴とする映像連携サービス提供システムを提案している。
【０００９】
この発明によれば、映像再生装置の再生手段は、映像コンテンツを再生する。映像再生装置の送信手段は、少なくとも、再生手段で再生された映像に付加されたメタデータを、アプリケーションサーバに送信する。アプリケーションサーバのサービス提供手段は、受信したメタデータに基づいて、所定のサービスを提供する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。
【００１０】
（２）  本発明は、（１）に記載の映像連携サービス提供システムについて、前記送信手段は、前記再生手段で再生されている映像コンテンツの進行状況に基づいて、前記メタデータを参照し、前記メタデータのうち、前記進行状況に対応したメタデータを送信することを特徴とする映像連携サービス提供システムを提案している。
【００１１】
この発明によれば、映像再生装置の送信手段は、再生手段で再生されている映像コンテンツの進行状況に基づいて、メタデータを参照し、メタデータのうち、進行状況に対応したメタデータを送信する。したがって、映像コンテンツの視聴者に、映像コンテンツの内容および進行に連動したサービスを提供することができる。
【００１２】
（３）  本発明は、（１）または（２）に記載の映像連携サービス提供システムについて、前記送信手段は、前記メタデータをブロードキャストで送信することを特徴とする映像連携サービス提供システムを提案している。
【００１３】
この発明によれば、映像再生装置の送信手段は、メタデータをブロードキャストで送信する。したがって、連携するサービス、言い換えると、アプリケーションサーバを特定することなく、メタデータを送信することができる。
【００１４】
（４）  本発明は、（１）または（２）に記載の映像連携サービス提供システムについて、前記送信手段は、前記メタデータをブロードキャストで送信することを特徴とする映像連携サービス提供システムを提案している。
【００１５】
この発明によれば、映像再生装置の送信手段は、前記メタデータをブロードキャストで送信する。したがって、連携するサービス、言い換えると、アプリケーションサーバを特定して、メタデータを送信することができる。
【００１６】
（５）  本発明は、（１）から（４）に記載の映像連携サービス提供システムについて、前記映像再生装置は、前記メタデータを編集する編集手段（例えば、図３の編集部１５に相当）を備えることを特徴とする映像連携サービス提供システムを提案している。
【００１７】
この発明によれば、映像再生装置の編集手段は、ユーザの指示に応じて、メタデータを編集する。したがって、ユーザがメタデータを任意に編集することができるため、ユーザにより編集されたメタデータに基づいて、サービスを提供することができる。
【００１８】
（６）  本発明は、（１）から（５）に記載の映像連携サービス提供システムについて、前記映像コンテンツの再生が開始されてからの経過時刻をモニターするモニター手段を備え、前記送信手段は、前記モニター手段で検出された、前記再生手段で再生されている映像コンテンツの経過時刻を送信することを特徴とする映像連携サービス提供システムを提案している。
【００１９】
この発明によれば、映像再生装置のモニター手段は、映像コンテンツの再生が開始されてからの経過時刻をモニターする。映像再生装置の送信手段は、モニター手段で検出された、再生手段で再生されている映像コンテンツの経過時刻を送信する。したがって、映像コンテンツの再生が開始されてからの経過時刻に連携したサービスを提供することができる。また、映像コンテンツにメタデータが付加されていない場合や、映像コンテンツに付加されているメタデータに映像コンテンツの進行状況を示す情報、例えば、再生時間やチャプタ等、が含まれていない場合に、モニター手段で検出された経過時刻を、映像コンテンツの再生時間として用いることにより、映像コンテンツおよび進行に連動したサービスを提供することができる。
【００２０】
（７）  本発明は、映像コンテンツを再生する映像再生装置と、受信したデータに応じて、ネットワークを介してサービスを提供するアプリケーションサーバと、を備える映像連携サービス提供システムにおける映像連携サービス提供方法であって、前記映像再生装置が、前記映像コンテンツを再生する第１のステップ（例えば、図２のステップＳ１に相当）と、前記映像再生装置が、前記第１のステップで再生された映像コンテンツに付加されたメタデータを、前記アプリケーションサーバに送信する第２のステップ（例えば、図２のステップＳ２に相当）と、前記アプリケーションサーバが、前記映像再生装置から受信したメタデータに基づいて、所定のサービスを提供する第３のステップ（例えば、図２のステップＳ３に相当）と、前記映像再生装置が、前記アプリケーションサーバから提供されたサービスを出力する第４のステップ（例えば、図２のステップＳ４に相当）と、を備えることを特徴とする映像連携サービス提供方法を提案している。
【００２１】
この発明によれば、まず、第１のステップにおいて、映像再生装置が、前記映像コンテンツを再生する。次に、第２のステップにおいて、映像再生装置が、第１のステップで再生された映像コンテンツに付加されたメタデータを、アプリケーションサーバに送信する。次に、第３のステップにおいて、アプリケーションサーバが、映像再生装置から受信したメタデータに基づいて、所定のサービスを提供する。次に、第４のステップにおいて、映像再生装置が、アプリケーションサーバから提供されたサービスを出力する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。
【００２２】
（８）  本発明は、映像コンテンツを再生する映像再生装置と、受信したデータに応じて、ネットワークを介してサービスを提供するアプリケーションサーバと、を備える映像連携サービス提供システムにおける映像連携サービス提供システム方法であって、前記映像再生装置が、前記映像コンテンツを再生する第１のステップ（例えば、図４のステップＳ１１に相当）と、前記映像再生装置が、該再生した映像コンテンツからメタデータを取得する第２のステップと、前記映像再生装置が、ユーザにより編集された新たなメタデータを、保存する第３のステップ（例えば、図４のステップＳ１２に相当）と、前記映像再生装置が、該編集されたメタデータを、前記アプリケーションサーバに送信する第４のステップ（例えば、図４のステップＳ１３に相当）と、前記アプリケーションサーバが、前記映像再生装置から受信したメタデータに基づいて、所定のサービスを提供する第５のステップ（例えば、図４のステップＳ１４に相当）と、前記映像再生装置が、前記アプリケーションサーバから提供されたサービスを出力する第６のステップ（例えば、図４のステップＳ１５に相当）と、を備えることを特徴とする映像連携サービス提供システム方法を提案している。
【００２３】
この発明によれば、映像再生装置が、映像コンテンツを再生し、再生した映像コンテンツからメタデータを取得する。次いで、ユーザにより編集された新たなメタデータを、保存し、該編集されたメタデータを、アプリケーションサーバに送信する。そして、アプリケーションサーバが、映像再生装置から受信したメタデータに基づいて、所定のサービスを提供し、映像再生装置が、アプリケーションサーバから提供されたサービスを出力する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。また、ユーザがメタデータを任意に編集することができ、ユーザにより編集されたメタデータに基づいて、サービスを提供することができる。さらに、編集された新たなメタデータを、通信ネットワークを介して、複数のユーザ間で共有してもよい。
【００２４】
（９）  本発明は、映像コンテンツを再生する映像再生装置と、受信したデータに応じて、ネットワークを介してサービスを提供するアプリケーションサーバと、を備える映像連携サービス提供システムにおける映像連携サービス提供システム方法であって、前記映像再生装置が、前記映像コンテンツを再生する第１のステップ（例えば、図６のステップＳ２１に相当）と、前記映像再生装置が、前記映像コンテンツの再生が開始されてからの経過時刻をモニターする第２のステップ（例えば、図６のステップＳ２２に相当）と、前記映像再生装置が、再生された映像コンテンツに付加されたメタデータと前記再生されている映像コンテンツの経過時刻とを、前記アプリケーションサーバに送信する第３のステップ（例えば、図６のステップＳ２３に相当）と、前記アプリケーションサーバが、前記映像再生装置から受信したメタデータに基づいて、所定のサービスを提供する第４のステップ（例えば、図６のステップＳ２４に相当）と、前記映像再生装置が、前記アプリケーションサーバから提供されたサービスを出力する第５のステップ（例えば、図６のステップＳ２５に相当）と、を備えることを特徴とする映像連携サービス提供システム方法を提案している。
【００２５】
この発明によれば、映像再生装置が、映像コンテンツを再生し、映像コンテンツの再生が開始されてからの経過時刻をモニターする。ついで、再生された映像コンテンツに付加されたメタデータと再生されている映像コンテンツの経過時刻とを、アプリケーションサーバに送信する。そして、アプリケーションサーバが、映像再生装置から受信したメタデータに基づいて、所定のサービスを提供し、映像再生装置が、アプリケーションサーバから提供されたサービスを出力する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。また、映像コンテンツの再生が開始されてからの経過時刻に応じた、サービスを提供することができる。さらに、映像コンテンツにメタデータが付加されていない場合や、映像コンテンツに付加されているメタデータに映像コンテンツの進行状況を示す情報、例えば、再生時間やチャプタ等、が含まれていない場合に、モニター部で検出された経過時刻を、映像コンテンツの再生時間として用いることにより、映像コンテンツおよび進行に連動したサービスを提供することができる。
【００２６】
（１０）  本発明は、映像コンテンツを再生する映像再生装置と、受信したデータに応じて、ネットワークを介してサービスを提供するアプリケーションサーバと、を備える映像連携サービス提供システムにおける映像連携サービス提供方法をコンピュータに実行させるためのプログラムであって、前記映像再生装置が、前記映像コンテンツを再生する第１のステップ（例えば、図２のステップＳ１に相当）と、前記映像再生装置が、前記第１のステップで再生された映像コンテンツに付加されたメタデータを、前記アプリケーションサーバに送信する第２のステップ（例えば、図２のステップＳ２に相当）と、前記アプリケーションサーバが、前記映像再生装置から受信したメタデータに基づいて、所定のサービスを提供する第３のステップ（例えば、図２のステップＳ３に相当）と、前記映像再生装置が、前記アプリケーションサーバから提供されたサービスを出力する第４のステップ（例えば、図２のステップＳ４に相当）と、をコンピュータに実行させるためのプログラムを提案している。
【００２７】
この発明によれば、まず、第１のステップにおいて、映像再生装置が、前記映像コンテンツを再生する。次に、第２のステップにおいて、映像再生装置が、第１のステップで再生された映像コンテンツに付加されたメタデータを、アプリケーションサーバに送信する。次に、第３のステップにおいて、アプリケーションサーバが、映像再生装置から受信したメタデータに基づいて、所定のサービスを提供する。次に、第４のステップにおいて、映像再生装置が、アプリケーションサーバから提供されたサービスを出力する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。
【００２８】
（１１）  本発明は、映像コンテンツを再生する映像再生装置と、受信したデータに応じて、ネットワークを介してサービスを提供するアプリケーションサーバと、を備える映像連携サービス提供システムにおける映像連携サービス提供方法をコンピュータに実行させるためのプログラムであって、前記映像再生装置が、前記映像コンテンツを再生する第１のステップ（例えば、図４のステップＳ１１に相当）と、前記映像再生装置が、該再生した映像コンテンツからメタデータを取得する第２のステップと、前記映像再生装置が、ユーザにより編集された新たなメタデータを、保存する第３のステップ（例えば、図４のステップＳ１２に相当）と、前記映像再生装置が、該編集されたメタデータを、前記アプリケーションサーバに送信する第４のステップ（例えば、図４のステップＳ１３に相当）と、前記アプリケーションサーバが、前記映像再生装置から受信したメタデータに基づいて、所定のサービスを提供する第５のステップ（例えば、図４のステップＳ１４に相当）と、前記映像再生装置が、前記アプリケーションサーバから提供されたサービスを出力する第６のステップ（例えば、図４のステップＳ１５に相当）と、をコンピュータに実行させるためのプログラムを提案している。
【００２９】
この発明によれば、映像再生装置が、映像コンテンツを再生し、再生した映像コンテンツからメタデータを取得する。次いで、ユーザにより編集された新たなメタデータを、保存し、該編集されたメタデータを、アプリケーションサーバに送信する。そして、アプリケーションサーバが、映像再生装置から受信したメタデータに基づいて、所定のサービスを提供し、映像再生装置が、アプリケーションサーバから提供されたサービスを出力する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。また、ユーザがメタデータを任意に編集することができ、ユーザにより編集されたメタデータに基づいて、サービスを提供することができる。さらに、編集された新たなメタデータを、通信ネットワークを介して、複数のユーザ間で共有してもよい。
【００３０】
（１２）  本発明は、映像コンテンツを再生する映像再生装置と、受信したデータに応じて、ネットワークを介してサービスを提供するアプリケーションサーバと、を備える映像連携サービス提供システムにおける映像連携サービス提供方法をコンピュータに実行させるためのプログラムであって、前記映像再生装置が、前記映像コンテンツを再生する第１のステップ（例えば、図６のステップＳ２１に相当）と、前記映像再生装置が、前記映像コンテンツの再生が開始されてからの経過時刻をモニターする第２のステップ（例えば、図６のステップＳ２２に相当）と、前記映像再生装置が、再生された映像コンテンツに付加されたメタデータと前記再生されている映像コンテンツの経過時刻とを、前記アプリケーションサーバに送信する第３のステップ（例えば、図６のステップＳ２３に相当）と、前記アプリケーションサーバが、前記映像再生装置から受信したメタデータに基づいて、所定のサービスを提供する第４のステップ（例えば、図６のステップＳ２４に相当）と、前記映像再生装置が、前記アプリケーションサーバから提供されたサービスを出力する第５のステップ（例えば、図６のステップＳ２５に相当）と、をコンピュータに実行させるためのプログラムを提案している。
【００３１】
この発明によれば、映像再生装置が、映像コンテンツを再生し、映像コンテンツの再生が開始されてからの経過時刻をモニターする。ついで、再生された映像コンテンツに付加されたメタデータと再生されている映像コンテンツの経過時刻とを、アプリケーションサーバに送信する。そして、アプリケーションサーバが、映像再生装置から受信したメタデータに基づいて、所定のサービスを提供し、映像再生装置が、アプリケーションサーバから提供されたサービスを出力する。したがって、独立したアプリケーションサーバが、映像コンテンツに付加されるメタデータに基づいてサービスを提供することにより、映像コンテンツに付加されるメタデータのサイズを大きくすることなく、映像コンテンツを視聴しているユーザに、映像コンテンツに連携するサービスを提供することができる。また、映像コンテンツの再生が開始されてからの経過時刻に応じた、サービスを提供することができる。さらに、映像コンテンツにメタデータが付加されていない場合や、映像コンテンツに付加されているメタデータに映像コンテンツの進行状況を示す情報、例えば、再生時間やチャプタ等、が含まれていない場合に、モニター部で検出された経過時刻を、映像コンテンツの再生時間として用いることにより、映像コンテンツおよび進行に連動したサービスを提供することができる。
【発明の効果】
【００３２】
本発明によれば、映像コンテンツに付加されるメタデータのサイズを大きくすることなく、映像コンテンツに連携するサービスを視聴者に提供することができる。
【図面の簡単な説明】
【００３３】
【図１】本発明の第１の実施形態に係る映像連携サービス提供システムの構成を示す図である。
【図２】本発明の第１の実施形態に係る映像連携サービス提供システムの処理フローを示す図である。
【図３】本発明の第２の実施形態に係る映像連携サービス提供システムの構成を示す図である。
【図４】本発明の第２の実施形態に係る映像連携サービス提供システムの処理フローを示す図である。
【図５】本発明の第３の実施形態に係る映像連携サービス提供システムの構成を示す図である。
【図６】本発明の第３の実施形態に係る映像連携サービス提供システムの処理フローを示す図である。
【発明を実施するための形態】
【００３４】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３５】
＜第１の実施形態＞
図１および図２を用いて、本発明の第１の実施形態について説明する。
【００３６】
＜映像連携サービス提供システムの構成＞
図１は、本発明に係る映像連携サービス提供システム１の構成を示す図である。本発明に係る映像連携サービス提供システム１は、図１に示すように、映像再生装置１０、およびアプリケーションサーバ２０から構成されている。映像再生装置１０とアプリケーションサーバ２０とはそれぞれインターネットで接続されている。図１において、映像再生装置１０およびアプリケーションサーバ２０は１台であるが、それぞれ複数台であってもよい。
【００３７】
映像再生装置１０は、図１に示すように、出力部１１、再生部１２、送信部１３、および受信部１４から構成されている。
【００３８】
出力部１１は、再生部１２で再生された映像コンテンツの映像や音声を出力する。また、出力部１１は、後述する受信部１４から受信したサービスに関する情報を出力し、ユーザに映像コンテンツと連携したサービスを提供する。出力部１１は、例えば、液晶ディスプレイやスピーカー等である。出力部１１は、アプリケーションサーバ２０から複数のサービスが提供された場合には、提供されたサービスの一覧を画面に表示し、ユーザにサービスを選択させてもよい。
【００３９】
再生部１２は、映像コンテンツを再生し、再生した映像コンテンツを出力部１１に表示させて、視聴者に提供する。再生部１２が再生する映像コンテンツは、リアルタイムに配信されている映像コンテンツであってもよいし、予め記憶部（図示せず）に録画されたものであってもよい。映像コンテンツは、例えば、インターネットを介してコンテンツサーバから配信される。
【００４０】
本実施形態において、映像コンテンツには、メタデータが付加されている。メタデータとは、映像コンテンツの属性を記述したデータであって、ＭＰＥＧ−７や（ＩＳＯ／ＩＥＣ  １５９３８）、ＴＶ  Ａｎｙｔｉｍｅ等の表記方法で記述される。メタデータには、映像コンテンツ全体に関する情報と、映像コンテンツを複数に分割したセグメントそれぞれに関する情報と、が含まれる。
【００４１】
映像コンテンツ全体に関する情報（以下、映像メタデータという）とは、具体的には、チャンネル、タイトル、配信日時、カテゴリー、出演者等である。また、映像コンテンツを複数に分割したセグメントそれぞれに関する情報（以下、セグメントメタデータという）とは、映像コンテンツの進行状況に対応付けられているデータであって、具体的には、チャプタ、シーンデータ、発話開始位置、発話内容、発話者、再生時間等である。
【００４２】
送信部１３は、再生部１２で再生されている映像コンテンツのメタデータを、ブロードキャストで不特定多数のアプリケーションサーバ２０に送信する。なお、予め、メタデータにアプリケーションサーバ２０との通信路を生成するための情報、例えば、ＩＰアドレスといったアドレス情報を設定しておき、送信部１３は、アドレス情報に基づいて、ユニキャストやマルチキャストでメタデータを送信してもよい。
【００４３】
映像コンテンツに付加されているメタデータのうち、映像メタデータは、映像コンテンツが再生部１２で再生されたことに応じて、送信部１３によりアプリケーションサーバ２０に送信される。また、映像コンテンツに付加されているメタデータのうち、セグメントメタデータは、映像コンテンツの進行状況、すなわち、各セグメントが再生されたことに応じて、再生されているセグメントのセグメントメタデータが、送信部１３によりアプリケーションサーバ２０に送信される。
【００４４】
受信部１４は、後述するアプリケーションサーバ２０から、サービスに関する情報を受信する。そして、受信部１４は、受信したサービスに関する情報を出力部１１に送信する。
【００４５】
アプリケーションサーバ２０は、インターネットを介して、映像再生装置から受信したメタデータに応じて、サービスを提供する機能を有する。本実施形態において、アプリケーションサーバ２０には、アプリケーション２１が１つ備えられているとするが、複数のアプリケーションが備えられていてもよい。その場合には、各アプリケーションに後述するサービス提供部２２が備えられている。
【００４６】
サービス提供部２２は、映像再生装置１０から受信したメタデータに基づいて、所定のサービスをユーザに提供するための処理を行い、処理結果として、サービスに関する情報を映像再生装置１０に送信する。以下に、ユーザに提供されるサービスについて具体例を挙げて説明する。
【００４７】
例えば、映像コンテンツには予め日本語と英語の字幕しか付いていない場合に、中国語の字幕を提供するサービスの場合について説明する。本例において、アプリケーションサーバ２０のアプリケーション２１は、日本語のテキストデータを中国語のテキストデータに変換する機能を有する。
【００４８】
まず、再生部１２にて、映像コンテンツが再生されると、各セグメントの再生が開始したことに応じて、セグメントメタデータがアプリケーションサーバ２０に逐次送信される。ここで、セグメントメタデータには、会話や解説の日本語テキストデータが含まれているとする。
【００４９】
映像再生装置１０からセグメントメタデータを受信したアプリケーションサーバ２０のサービス提供部２２は、受信したセグメントメタデータに含まれる会話や解説の日本語のテキストデータを中国語に変換し、会話や解説の中国語テキストデータを作成する。そして、サービス提供部２２は、作成した中国語テキストデータを映像再生装置１０に送信する。映像再生装置１０の受信部１４は、サービス提供部２２から中国語テキストデータを受信し、出力部１１に送信する。出力部１１にて、受信した中国語テキストデータが映像コンテンツと共に表示され、ユーザに中国語の字幕のサービスを提供することができる。
【００５０】
なお、上記においては、字幕を例に説明したが、これに限らず、例えば、番組の途中に、プレゼントの応募方法を表示する場合や番組のシーンに合わせたクイズを表示して出題するような場合にも用いることができる。ただし、映像とテキストの表示には、一般に、ディレイが生じる場合があるため、特に、起動時や再生時に、出力部の出力を一旦停止し、受信部において受信ができた後に、映像出力を開始する等の対応を行う必要がある。
【００５１】
＜映像連携サービス提供システムの処理フロー＞
図２は、本発明に係る映像連携サービス提供システムの処理フローを示す図である。
【００５２】
まず、ステップＳ１において、映像再生装置１０の再生部１２は、映像コンテンツを再生し、出力部１１に映像コンテンツを出力する。
【００５３】
次に、ステップＳ２において、送信部１３は、再生部１２で再生されている映像コンテンツに付加されているメタデータをアプリケーションサーバ２０に送信する。なお、映像コンテンツにセグメントメタデータが付与されている場合には、各セグメントが開始されると、開始されたセグメントに付加されているセグメントメタデータが、アプリケーションサーバ２０に送信される。
【００５４】
次に、ステップＳ３において、アプリケーションサーバ２０のサービス提供部２２は、受信したメタデータに基づいて取得した、ユーザに提供するサービスに関する情報を、映像再生装置１０に送信する。
【００５５】
次に、ステップＳ４において、映像再生装置１０の出力部１１は、アプリケーションサーバ２０から受信部１４を介して受信したサービスに関する情報を出力し、ユーザにサービスを提供する。
【００５６】
以上、説明したように、本実施形態によれば、映像コンテンツに付加されるメタデータのサイズを大きくすることなく、映像コンテンツに連携するサービスを視聴者に提供することができる。
【００５７】
＜第２の実施形態＞
図３および図４を用いて、本発明の第２の実施形態について説明する。
【００５８】
＜映像再生装置の構成＞
映像再生装置１０は、図３に示すように、出力部１１、再生部１２、送信部１３、受信部１４および編集部１５から構成されている。なお、第１の実施形態と同様の符号を付す構成要素については、同様の機能を有するため、その詳細な説明は、省略する。
【００５９】
編集部１５は、再生した映像コンテンツからメタデータを取得し、これを表示器に表示して、ユーザによる編集を促し、ユーザにより編集された新たなメタデータを、一旦保存する。
【００６０】
＜映像連携サービス提供システムの処理フロー＞
図４は、本発明に係る映像連携サービス提供システムの処理フローを示す図である。
【００６１】
まず、ステップＳ１１において、映像再生装置１０の再生部１２は、映像コンテンツを再生し、出力部１１に映像コンテンツを出力する。
【００６２】
次に、ステップＳ１２において、編集部１５は、再生した映像コンテンツからメタデータを取得し、これを表示器に表示して、ユーザによる編集を促し、ユーザにより編集された新たなメタデータを、一旦保存する。
【００６３】
次に、ステップＳ１３において、送信部１３は、再生部１２で再生されている映像コンテンツに付加されているメタデータをアプリケーションサーバ２０に送信する。なお、映像コンテンツにセグメントメタデータが付与されている場合には、各セグメントが開始されると、開始されたセグメントに付加されているセグメントメタデータが、アプリケーションサーバ２０に送信される。
【００６４】
次に、ステップＳ１４において、アプリケーションサーバ２０のサービス提供部２２は、受信したメタデータに基づいて取得した、ユーザに提供するサービスに関する情報を、映像再生装置１０に送信する。
【００６５】
次に、ステップＳ１５において、映像再生装置１０の出力部１１は、アプリケーションサーバ２０から受信部１４を介して受信したサービスに関する情報を出力し、ユーザにサービスを提供する。
【００６６】
以上、説明したように、本実施形態によれば、映像コンテンツに付加されるメタデータのサイズを大きくすることなく、映像コンテンツに連携するサービスを視聴者に提供することができる。また、ユーザがメタデータを任意に編集することができ、ユーザにより編集されたメタデータに基づいて、サービスを提供することができる。さらに、編集された新たなメタデータを、通信ネットワークを介して、複数のユーザ間で共有してもよい。
【００６７】
＜第３の実施形態＞
図５および図６を用いて、本発明の第３の実施形態について説明する。
【００６８】
＜映像再生装置の構成＞
映像再生装置１０は、図５に示すように、出力部１１、再生部１２、受信部１４、モニター部１６および送信部１７から構成されている。なお、第１の実施形態と同様の符号を付す構成要素については、同様の機能を有するため、その詳細な説明は、省略する。
【００６９】
モニター部１６は、映像コンテンツの再生が開始されてからの経過時刻をモニターする。送信部１７は、再生された映像コンテンツに付加されたメタデータと再生されている映像コンテンツの経過時刻とを、アプリケーションサーバに送信する。
【００７０】
＜映像連携サービス提供システムの処理フロー＞
図６は、本発明に係る映像連携サービス提供システムの処理フローを示す図である。
【００７１】
まず、ステップＳ２１において、映像再生装置１０の再生部１２は、映像コンテンツを再生し、出力部１１に映像コンテンツを出力する。
【００７２】
次に、ステップＳ２２において、映像コンテンツの再生が開始されてからの経過時刻をモニターする。
【００７３】
次に、ステップＳ２３において、送信部１３は、モニター部１６が検出した映像コンテンツの再生が開始されてからの経過時刻と再生部１２で再生されている映像コンテンツに付加されているメタデータをアプリケーションサーバ２０に送信する。なお、映像コンテンツにセグメントメタデータが付与されている場合には、各セグメントが開始されると、開始されたセグメントに付加されているセグメントメタデータが、アプリケーションサーバ２０に送信される。
【００７４】
次に、ステップＳ１４において、アプリケーションサーバ２０のサービス提供部２２は、受信したメタデータに基づいて取得した、ユーザに提供するサービスに関する情報を、映像再生装置１０に送信する。
【００７５】
次に、ステップＳ１５において、映像再生装置１０の出力部１１は、アプリケーションサーバ２０から受信部１４を介して受信したサービスに関する情報を出力し、ユーザにサービスを提供する。
【００７６】
以上、説明したように、本実施形態によれば、映像コンテンツに付加されるメタデータのサイズを大きくすることなく、映像コンテンツに連携するサービスを視聴者に提供することができる。また、映像コンテンツの再生が開始されてからの経過時刻に応じた、サービスを提供することができる。さらに、映像コンテンツにメタデータが付加されていない場合や、映像コンテンツに付加されているメタデータに映像コンテンツの進行状況を示す情報、例えば、再生時間やチャプタ等、が含まれていない場合に、モニター部で検出された経過時刻を、映像コンテンツの再生時間として用いることにより、映像コンテンツおよび進行に連動したサービスを提供することができる。
【００７７】
なお、映像連携サービス提供システムの処理をコンピュータ読み取り可能な記録媒体に記録し、この記録媒体に記録されたプログラムを各機器に読み込ませ、実行することによって本発明の映像連携サービス提供システムを実現することができる。ここでいうコンピュータシステムとは、ＯＳや周辺装置等のハードウェアを含む。
【００７８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００７９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８０】
以上、この発明の実施形態につき、図面を参照して詳述してきたが、具体的な構成はこの実施形態に限られるものではなく、この発明の要旨を逸脱しない範囲の設計等も含まれる。例えば、メタデータに、ユーザのプロファイル、受信したいサービス（字幕は日本語、プレゼントはすべて見たい、ポイントを貯めたい（例えば、広告を表示するとポイントが貯まる）、など）を含ませてもよい。また、ＳＴＢに上記のような情報を持たせ、ｐｕｓｈされてくるサービスをフィルターするようにしても良い。さらに、多数の類似サービスを選別する際に、オークションで、ポイントがたまる仕組みを設けてもよい。また、このようなフィルター機能でさえも、アプリケーションとして、有償／無償で提供されることにしても良い。また、フィルターが無料の場合、ある種の広告、プレゼントなどが優先的に表示されるようにしてもよい。
【符号の説明】
【００８１】
１    映像連携サービス提供システム
１０  映像再生装置
１１  出力部
１２  再生部
１３  送信部
１４  受信部
１５  編集部
１６  モニター部
１７  送信部
２０  アプリケーションサーバ
２１  アプリケーション
２２  サービス提供部
【図１】
2013009141.tif 000003
【図２】
2013009141.tif 000004
【図３】
2013009141.tif 000005
【図４】
2013009141.tif 000006
【図５】
2013009141.tif 000007
【図６】
2013009141.tif 000008